Podtech/llm-jp-corpus-v4-ja_patent huggingface dataset:
(57)【要約】【課題】  口が狭く、内面の広い容器の洗浄が、短時間で、キレイに、なおかつ手軽に行なえる、吊り下げ洗浄用具を提供する。【解決手段】  一端に、止め具（３）を設けた、多方向へ自由に変形可能な、吊り下げ用具（１）に、全面が洗浄に適した、洗浄用具（２）を、間隔をあけ、複数取り付けたことを特徴とする。【選択図】図１
2005313138.tif 000002
【特許請求の範囲】
【請求項１】
一端に、止め具（３）を設けた、多方向へ自由に変形可能な、吊り下げ用具（１）に、全面が洗浄に適した、洗浄用具（２）を、間隔をあけ、複数取り付けた、吊り下げ洗浄用具。
【発明の詳細な説明】
【技術分野】
【０００１】  この発明は、一端に、止め具（３）を設けた、多方向へ自由に変形可能な、吊り下げ用具（１）に、全面が洗浄に適した、洗浄用具（２）を、間隔をあけ、複数取り付けた、吊り下げ洗浄用具に関するものである。
【背景技術】
【０００２】  従来、内側まで手の届かない容器の内面を、洗浄するための用具としては、棒状の柄の一端に、洗浄用のブラシやスポンジなどを取り付け、その柄を持って、内部を洗う形式のものがほとんどであった。  又、口の狭い容器の場合、中に物を入れて振って洗う。という方法もあった。
【発明の開示】
【発明が解決しようとする課題】
【０００３】  これには次のような欠点があった。  （イ）  棒状の柄の付いた用具は、長さや太さが限られているので、底まで届かなかったり、口の狭い容器には不向きであったりした。又、口の狭い容器用の、細いタイプのブラシなどでも、容器内が広ければ、側面に届きにくく、不便であった。  （ロ）  内部に、洗浄用の物を入れて振る方法は、最初から適した形のものが少なく、特に口の狭い容器に一度入れてしまうと、今度は、それを取り出す時に、水分を含んで膨らんだり、水分で内部に張り付いたりと、取り出しにくく、何かとわずらわしい作業であった。  又、複数の物を入れても、内部では結局、同所に集まり、全面を洗うのに時間がかかった。  本発明は、これらの欠点を除くためになされたものである。
【課題を解決するための手段】
【０００４】  一端に、止め具（３）を設けた、多方向へ自由に変形可能な、吊り下げ用具（１）に、全面が洗浄に適した、洗浄用具（２）を、間隔をあけ、複数取り付ける。  本発明は、以上のような構成よりなる、吊り下げ洗浄用具である。
【発明の効果】
【０００５】  本発明により、口が狭く、内面が広い容器の洗浄が、手軽に行なえ、しかも、細かい部分の汚れまできれいに落すことが、可能になる。  洗浄用具（２）を複数使用しても、吊り下げられた状態であるため、容器を逆さに向けない限り、同所に集まることはなく、ムラなく、短時間で汚れを取り去り、使用後も、止め具（３）を引っ張るだけで、容易に取り出し可能である。  より大きな、又は、より深さのある容器を洗浄するため、吊り下げ用具（１）を長く、多数の洗浄用具（２）を取り付けたものにしておいても、従来の洗浄用具に選べ、はるかに収納は楽である。
【発明を実施するための最良の形態】
【０００６】  以下、本発明の実施の形態について説明する。  （イ）  多方向へ自由に変形可能な、例えば、ひも状や、チェーン状などの、吊り下げ用具（１）の一端に、薄型の、止め具（３）を設ける。  （ロ）  吊り下げ用具（１）の、別の一端には、全面が洗浄に適した、例えば、毛植ブラシや、スポンジ、ネットたわしなどの、洗浄用具（２）がくるように、吊り下げ用具（１）の長さに応じ、間隔をあけながら、複数、取り付ける。  本発明は、以上のような構成で、これを使用するときは、洗浄したい容器本体（４）の中へ、吊り下げられた洗浄用具（２）を入れて、容器の口（５）に、止め具（３）を掛ける。そして、少量の水や洗剤などを、必要に応じて加え、蓋をするか、もしくは手で容器の口を押えて、容器本体（４）を振り、洗う。  尚、洗浄用具（２）の重量が軽い場合は、中心部に、重りとなるものを設けるとよい。  洗浄を行なう容器を、あらかじめ、ペットボトルに限定した場合、図３に示すように、止め具（３）の替わりに、ペットボトルの蓋と同型の専用蓋（６）の内側に、接続部（７）を設け、吊り下げ用具（１）を取り付けてもよい。又、図４に示すように、ペットボトルの口（８）と同じ大きさのリング（９）に、吊り下げ用具（１）を取り付け、本来のペットボトルの蓋（１０）をして、使用してもよい。  図５に示すように、吊り下げ用具（１）を複数にしてもよい。その場合は、容器の中へ入れやすいように、洗浄用具（２）の位置をずらして付けたり、窪みのある形にするとよい。
【図面の簡単な説明】
【０００７】【図１】本発明の斜視図である。
【図２】本発明の使用状態を示す斜視図である。
【図３】本発明の他の実施例を示す斜視図である。
【図４】本発明の他の実施例を示す斜視図である。
【図５】本発明の他の実施例を示す斜視図である。
【符号の説明】
【０００８】  １  吊り下げ用具  ２  洗浄用具  ３  止め具  ４  容器本体  ５  口  ６  専用蓋  ７  接続部  ８  ペットボトルの口  ９  リング１０  蓋
【図１】
2005313138.tif 000003
【図２】
2005313138.tif 000004
【図３】
2005313138.tif 000005
【図４】
2005313138.tif 000006
【図５】
2005313138.tif 000007
(57)【要約】【課題】  ボールハウスの底壁に放射状溝を形成する際に生じるバリを除去する必要がなく、スプリングもインキ誘導孔２にスムーズに挿入できるボールペン用金属チップを提供する。【解決手段】ボール７を回転自由に抱持するボールハウス１の底壁４の中心に開けられたインキ誘導孔２とそれを中心とした複数本の放射状溝３を有するボールペン用金属チップにおいて、放射状溝のインキ誘導孔への開口部３１の下方に、放射状溝を形成する際に生じるバリ６の開口部から径方向に突出する長さと同等ないし僅かに長い円環状突出部９を形成する。【選択図】  図２
2005313401.tif 000002
【特許請求の範囲】
【請求項１】
ボールを回転自由に抱持するボールハウスの底壁の中心に開けられたインキ誘導孔とそれを中心とした複数本の放射状溝を有するボールペン用金属チップにおいて、
前記放射状溝のインキ誘導孔への開口部の下方に、放射状溝を形成する際に生じるバリの該開口部から径方向に突出する長さと同等ないし僅かに長い円環状突出部が形成されたことを特徴とするボールペン用金属チップ。
【発明の詳細な説明】
【技術分野】
【０００１】
本発明は、筆記用のボールを回転可能に抱持したボールペン用金属チップに関するものである。
【背景技術】
【０００２】
筆記用のボールを回転自由に抱持するボールハウスの底壁の中心に、インキ収容管からのインキをボールに供給するためにインキ誘導孔が開けられ、また、ボールとボールハウスの周面との間のインキ溜り部にインキを供給するためにインキ誘導孔を中心とした複数本の放射状溝がボールハウスの底壁に設けられたボールペン用金属チップが広く知られている。
【発明の開示】
【発明が解決しようとする課題】
【０００３】
かかるボールペン用金属チップは、図３に示すように、ボールハウス１とインキ誘導孔２およびバック孔５を切削加工により成形し、次にボールハウス１の底壁４に押圧変形加工により放射状溝３を複数本成形するが、放射状溝３を成形する際に、バリ６がインキ誘導孔２に突出した状態に形成される。
【０００４】
このバリ６をそのまま放置すると、ボールを押圧するためのスプリングを挿入する際にスプリングの先端がバリ６に引っかかる不具合がある。また、筆記中にバリ６がボールハウス１内に脱落してボールの回転を阻害する不具合が生じるので、インキ誘導孔２内にクリーニングツールＴを矢印の方向に押し込んでバリ６を取り除いている。
【特許文献１】特許第３４９２４３８号公報
【０００５】
しかし、クリーニングツールＴをインキ誘導孔２内にに押し込んでもバリ６は完全には除去されず、図４に示すように、クリーニングツールＴの押圧力により下向きに変形したバリ６がインキ誘導孔２の下面において残留する。そして、図５に示すように、ボール７をボールハウス１内に入れてかしめ加工によりボール７を抱持し、続いてスプリング８をインキ誘導孔２に挿入する際に、スプリング８の先端が残留したバリ６に引っかかり、スプリング８を正しく挿入できない不具合が生じる。
【０００６】
そこで本発明は、ボールハウスの底壁に放射状溝を形成する際に生じるバリを除去する必要がなく、スプリングもインキ誘導孔にスムーズに挿入できるボールペン用金属チップを提供することを目的とする。
【課題を解決するための手段】
【０００７】
かかる目的を達成するために、本発明は、ボールを回転自由に抱持するボールハウスの底壁の中心に開けられたインキ誘導孔とそれを中心とした複数本の放射状溝を有するボールペン用金属チップにおいて、放射状溝のインキ誘導孔への開口部の下方に、放射状溝を形成する際に生じるバリの該開口部から径方向に突出する長さと同等ないし僅かに長い円環状突出部を形成する。
【発明の効果】
【０００８】
放射状溝のインキ誘導孔への開口部の下方に、放射状溝を形成する際に生じるバリのインキ誘導孔の開口部から径方向に突出する長さと同等ないし僅かに長い円環状突出部が形成されているので、生じたバリの先端は円環状突出部から径方向に向けて突出しない。したがって、このバリは必ずしも除去する必要がなく、また、バリがスプリングをインキ誘導孔に挿入する際の障害にならず、スムーズに挿入できる。
【発明を実施するための最良の形態】
【０００９】
図１はボールを抱持する前の金属チップの先端部分の断面図であり、図２はボールを抱持して完成した金属チップを示す。図１において、金属チップの素材はステンレス鋼が一般的に使用されるが、その他にも洋白、りん青銅、真鍮などの銅合金、チタン合金、アルミニウム合金などが使用可能である。外周面がテーパー状に切削された金属チップのその先端面より切削加工によりボールハウス１が形成されている。そして、ボールハウス１の底壁４の中心にインキ誘導孔２が形成され、また、インキ誘導孔２に続くバック孔５が切削加工により形成されている。
【００１０】
ボールハウス１の底壁４において、ボール７とボールハウス１の周面との間のインキ溜り部にインキを供給するためにインキ誘導孔２を中心とした複数本の放射状溝３が押圧変形加工により設けられている。そして、インキ誘導孔２に対面する放射状溝３の開口部３１の下方には円環状突出部９が形成されている。なお、円環状突出部９の下面９１はテーパー状に成形されている。放射状溝３を成形するとバリ６が形成されてインキ誘導孔２に向けて突出するが、円環状突出部９の開口部３１からの長さは、通常の工程で発生する最大のバリ６がインキ誘導孔２に向けて突出する径方向の長さと同等ないし僅かに長くなっている。したがって、バック孔５の方向からインキ誘導孔２を見たときにバリ６は円環状突出部９に隠れて見えない。
【００１１】
次に、図２に示すように、例えば超硬合金からなる外径が０．５ｍｍφボール７をボールハウス１ないに入れて金属チップの先端縁１１をかしめてボール７を回転可能に抱持する。そして、ボール７を先端縁１１の内面に圧接するためのスプリング８をバック孔５の方向からインキ誘導孔２、つまりに円環状突出部９内に挿入するが、バック孔５の方向から見たときにバリ６は円環状突出部９に隠れているためにスプリング８の先端がバリ６に引っかかることがなく、スムーズに挿入することができる。
【図面の簡単な説明】
【００１２】
【図１】本発明実施例のボールをかしめる前の断面図である。
【図２】本発明実施例の断面図である。
【図３】従来例の説明図である。
【図４】従来例の説明図である。
【図５】従来例の説明図である。
【符号の説明】
【００１３】
１    ボールハウス
２    インキ誘導孔
３    放射状溝
３１  放射状溝の開口部
４    底壁
５    バック孔
６    バリ
７    ボール
８    スプリング
９    円環状突出部
【図１】
2005313401.tif 000003
【図２】
2005313401.tif 000004
【図３】
2005313401.tif 000005
【図４】
2005313401.tif 000006
【図５】
2005313401.tif 000007
(57)【要約】【課題】車輌の荷台に荷受台昇降装置を取付ける際の作業負担の軽減を図るとともに、クロスメンバをバンパとしても併用できるようにした荷受台昇降装置を備えた車輌を提供する。【解決手段】車輌の荷台後端左右にそれぞれ立設されたポスト２内にスライダ４が昇降自在に挿入されるとともに、スライダ４に荷受台５が支持され、ポスト２間に連結されたクロスメンバ７内に配設された伸縮シリンダの伸縮動作によりワイヤを介してスライダ４を昇降させることで荷受台５が昇降自在になされた荷受台昇降装置を備えた車輌において、クロスメンバ７がポスト２の下端部２ａ間に車輌の後部バンパとして機能する適正高さ位置に配設されている。【選択図】  図１
2005313750.tif 000002
【特許請求の範囲】
【請求項１】
車輌の荷台後端左右にそれぞれ立設されたポスト内にスライダが昇降自在に挿入されるとともに、該スライダに荷受台が支持され、上記ポスト間に連結されたクロスメンバ内に配設された伸縮シリンダの伸縮動作によりワイヤを介してスライダを昇降させることで荷受台が昇降自在になされた荷受台昇降装置を備えた車輌において、
前記クロスメンバが前記ポストの下端部間に車輌の後部バンパとして機能する適正高さ位置に配設されたことを特徴とする荷受台昇降装置を備えた車輌。
【発明の詳細な説明】
【技術分野】
【０００１】
本発明は、荷台後端に設けられた荷受台昇降装置を備えた車輌に関し、特にクロスメンバ内に配設された伸縮シリンダの伸縮動作によりワイヤを介してスライダを昇降させることで荷受台が昇降自在になされた荷受台昇降装置を備えた車輌に関するものである。
【背景技術】
【０００２】
従来、この種の荷受台昇降装置を備えた車輌としては、車輌の荷台後端左右にそれぞれ立設されたポスト内にスライダが昇降自在に挿入されるとともに、該スライダに荷受台が支持され、上記ポスト間に連結されたクロスメンバ内に配設された伸縮シリンダの伸縮動作によりワイヤを介してスライダを昇降させることで荷受台が昇降自在になされたものが提供されている（例えば、特許文献１参照）。
【０００３】
具体的には、図３に示すように荷受台昇降装置は、車輌の荷台１後端に立設された左右一対のポスト２と、各ポスト２内に摺動自在に挿入されたサブポスト３を介して昇降自在に挿入されたスライダ４と、これら左右のスライダ４に回動自在に支持された荷受台としてのテールゲート５と、一端が油圧シリンダ６に他端が各スライダ４に止着されたワイヤ（図示省略）を備え、これらポスト２、サブポスト３、スライダ４、ワイヤは荷台１後端の両側に左右対称に設けられている。
【０００４】
そして、油圧シリンダ６によってワイヤを当該油圧シリンダ６側からポスト２内へ繰り出すことでスライダ４が下降し、これとともにサブポスト３及びテールゲート５が下降する。また、逆に油圧シリンダ６によってワイヤを油圧シリンダ６側に引き寄せることで、上述と逆の動作によりテールゲート５が地上から荷台１の床面と略同一となる最上昇位置まで上昇する。
【０００５】
この場合、油圧シリンダ６は、荷台１の後端に設けられたクロスメンバ７内に配設されている。このクロスメンバ７は、その前後幅に相当する長さ分だけ荷台１の後端部分を切断しこの切断した部分に配設するようにしている。
【０００６】
そして、車輌としての法規制に適合すべく、前記ポスト２の下端部間には図３及び図４に示すようなロッド状のバンパ８が別途設けられていた。
【特許文献１】特開平８−２３０５４８号公報
【発明の開示】
【発明が解決しようとする課題】
【０００７】
しかしながら、上記従来のものでは、クロスメンバを配設するために荷台の後端部を切断する作業が大掛りになり時間と負担がかかるという問題があった。
【０００８】
そこで、出願人は、クロスメンバを配設する位置に着目し、当該クロスメンバを荷台よりも下方の所定位置に配置することによって、車輌の荷台に荷受台昇降装置を取付ける際の作業負担の軽減を図るとともに、このクロスメンバをバンパとしても併用できるようにした。
【課題を解決するための手段】
【０００９】
請求項１に係る発明の荷受台昇降装置を備えた車輌は、車輌の荷台後端左右にそれぞれ立設されたポスト内にスライダが昇降自在に挿入されるとともに、該スライダに荷受台が支持され、上記ポスト間に連結されたクロスメンバ内に配設された伸縮シリンダの伸縮動作によりワイヤを介してスライダを昇降させることで荷受台が昇降自在になされた荷受台昇降装置を備えた車輌において、前記クロスメンバが前記ポストの下端部間に車輌の後部バンパとして機能する適正高さ位置に配設されたものである。
【発明の効果】
【００１０】
本発明によれば、荷台後端への荷受台昇降装置の取付けを短時間で容易に行うことができ作業負担の軽減を図ることができるとともに、クロスメンバを車輌の後部バンパとしても併用できるので、部品点数を削減することができ非常に有用である。
【発明を実施するための最良の形態】
【００１１】
以下、本発明の実施の形態について図面を参照して説明する。
【００１２】
図１及び図２は、本発明の荷受台昇降装置を備えた車輌を示している。なお、前述した従来の荷受台昇降装置と同様な部材には同部材に同符号を付して説明は省略するとともに、荷受台の昇降動作も同様であることからその説明は省略する。
【００１３】
荷受台昇降装置は、クロスメンバ７を左右のポスト２の下端部２ａ間に配設したものである。このクロスメンバ７は、車輌の後部バンパとして併用できるように、法規制に適合する適正な高さ位置に配設されるとともに、その強度も確保できるように作製されている。
【００１４】
そして、このように配設されたクロスメンバ７には、その内部に従来と同様に伸縮シリンダ（油圧シリンダ）が設けられるとともに、クロスメンバ７及びポスト２内にはこの伸縮シリンダとスライダ４とに亘ってワイヤが従来と同様に張設されている。
【００１５】
このようにクロスメンバ７を設けることで、荷台１後端に荷受台昇降装置を取付ける際には、荷台１の後端左右を左右のポスト２を配置する分だけ切欠けばよく、短時間で容易に行うことができ作業負担の軽減を図ることができる。また、クロスメンバ７を車輌の後部バンパとしても併用できるので、部品点数を削減することができ非常に有用である。
【００１６】
なお、上述した実施形態は、あくまでも本発明の好適な実施態様を示すものであって、本発明はこれに限定されることなく、その範囲内において種々設計変更可能である。
【００１７】
例えば、サブポストがなく、ポスト内に直接スライダを昇降自在に設けた荷受台昇降装置にも本発明を適用することができる。
【図面の簡単な説明】
【００１８】
【図１】本発明の荷受台昇降装置を備えた車輌を示す背面図である。
【図２】同じく荷受台昇降装置を備えた車輌を示す側面図である。
【図３】従来の荷受台昇降装置を備えた車輌を示す斜視図である。
【図４】同じく従来の荷受台昇降装置を備えた車輌を示す背面図である。
【符号の説明】
【００１９】
１  荷台
２  ポスト
２ａ  下端部
４  スライダ
５  テールゲート（荷受台）
６  油圧シリンダ（伸縮シリンダ）
７  クロスメンバ
【図１】
2005313750.tif 000003
【図２】
2005313750.tif 000004
【図３】
2005313750.tif 000005
【図４】
2005313750.tif 000006
(57)【要約】【課題】  各種有害物質によって汚染された大気を浄化する。【解決手段】  浄化装置の内部を数区画に分け、各室に於いて、水又は浄化用薬品を含む水溶液を噴霧状にして散布して、汚染した大気と接触混合して洗浄する。【選択図】      図１
2005334860.tif 000002
【特許請求の範囲】
【請求項１】
汚染大気浄化装置（１）の内部を数区画に分け、この内部に送風機（２）を以て汚染された大気を吹き込み、第一区画に於いてはプレ−水洗にて水洗し、主として粒子状物質を除去する作用を持つ汚染大気浄化装置。
【請求項２】
上記第一区画に於いて予備水洗した汚染大気を第二区画に導き、アルカリを主体とする水溶液によってスプレ−水洗をして、窒素酸化物、硫黄酸化物、炭酸ガス等を除去する作用を持つ汚染大気浄化装置。
【請求項３】
上記浄化装置の第一区画、第二区画内にてスプレ−水洗された汚染大気を最終的にスプレ−水洗する作用を持つ汚染大気浄化装置。
【請求項４】
上記浄化装置に於いて、最終水洗されて清浄済みの気体中に含まれる水滴を取り除く為、デミスタ−のごとき、水滴除去装置を持つ汚染大気浄化装置。
【発明の詳細な説明】
【技術分野】
【０００１】  本発明は浄化用の装置内に汚染された大気を吹き込み、この本体内部を数区画に分け、各区画内に於いては、水又は浄化用薬品を含む水溶液を噴霧状にして汚染大気と混合接触させ、汚染大気を清浄化する方法に関する。
【背景技術】
【０００２】  従来、大都市の人口密集地に於ける公共用の汚染大気の浄化装置は現時点で存在しない。これとは別に国内の幹線道路に於けるトンネル内の汚染大気浄化装置は一部で濾過方式を採用している所もあるが、大部分は只単に送風機によって大気中に放出拡散させるだけであり、汚染物質そのものを除去する方法は取られていないのが現状である。
【発明が解決しようとする課題】
【０００３】  従来はトンネル内の汚染対策は只単に送風機によって汚染された大気をトンネル外部へ放出拡散させるだけで、汚染物質の総量は少しも減少しないだけでなく、一酸化窒素は太陽光中の短波長光の作用により、短時間で酸化して、毒性の極めて強い二酸化窒素に変化する為、総合的な見地からすれば、環境悪化を増幅させることになるという問題点があった。
【０００４】  大都市に於ける大気汚染の主な原因は陸上運送機関から排出される排気ガスであり、これら運送機関の大部分はでィ−ゼルエンジンを搭載したディ−ゼル車である。
【０００５】  これらの車は人家の密集していない郊外を高速で走行している時は比較的に問題が少ないが、大都市の中心部で低速走行を余儀無くされる場合や、幹線道路の長いトンネル内のように閉鎖区域では有毒物質の濃度は高くなる。
【０００６】  そしてこれらの汚染大気をそのまま大気中に放出すると、相対的な濃度は低くなるが、絶対量は少なくならないだけでなく、窒素酸化物の中の一酸化窒素は太陽光中の短波長光の作用を受けて短時間で酸化して極めて毒性の強い二酸化窒素に変化する。更にこれ以外の有毒物質も夏期には強烈な太陽光によりオキシダントの原因となり、総合的には環境汚染を増幅する事になる。この様にしてトンネルから放出した汚染大気も近隣の動植物に被害を与えている。
【課題を解決するための手段】
【０００７】  本発明は従来の有するこれらの問題点に鑑みてなされたものであり、その目的とする所は、汚水処理に於ける公共下水処理の思想を汚染大気の浄化に敷衍して、汚染した大気を浄化する為の技術を提供するものである。
【０００８】  上記目的を達成するため、本発明における排気ガス浄化装置においては、浄化装置本体の内部を数区画に分割し、夫々の区区画内には水又は浄化用薬品を含む水溶液を噴霧化して汚染大気と混合接触させる方式をとるものである。
【０００９】  大気中の汚染物質には粒子状物質、窒素酸化物、亜硫酸ガス、炭化水素、一酸化炭素、アルデヒド類等があるが、これら物質の全てを完全に除去する薬品は、現在見当たらないが、この内の大部分を除去するには、アルカリを主体とする水溶液と接触混合させるのが、簡単でもあり、経済的にも勝れている。そして又、気体である汚染大気と液体である水や水溶液をできる限り効率良く接触させ、尚かつ空気抵抗を最小にするには、液体を噴霧状にして、単位体積当たりの表面積を大きくするのが有利である。
【００１０】  ディ−ゼルエンジンから排出された直後の排気ガス中の、窒素酸化物は大部分が一酸化窒素であり、二酸化窒素は小部分を占める。疑問の余地はあるが、一酸化窒素はアルカリとは反応しないというのが現在は定説になっている。それ故アルカリ性物質を浄化用物質として使用する事は一見非効率に写る、しかし、一酸化窒素は一旦大気中に放出され太陽光に当たると、極めて急速に酸化して二酸化窒素となる。二酸化窒素は容易にアルカリと反応して亜硝酸ソ−ダとなり、汚染大気中から除去される。
【００１１】  窒素酸化物全体の除去効率を高める為に、浄化用薬品として、アルカリだけでなく、アンモニウム塩、尿素、アミン等を混合して一酸化窒素を還元反応により除去する事ができる。
【００１２】  汚染物質の中の亜硫酸ガスはアルカリと反応して、亜硫酸ソ−ダとなり簡単に大気中から除去する事ができる。この事は多くの火力発電所に於いて、濕式脱硫法として広く採用されており、その効果に疑問を挟む余地はない。
【００１３】  わが国では一部の地域は別にして、大部分は冬季は低温低湿であり、夏季になると高温高濕となる。水又は水溶液によって処理された汚染大気は冬季には加濕されて大気中に放出される、一方夏季になると、汚染大気は水の気化熱によって冷却され、大気中に放出されるので、環境の改善に役立つ。
【発明の効果】
【００１４】本発明は以上説明したように構成されているので、以下に記載されるような効果を奏する。
【００１５】  水又は水溶液の洗浄により粒子状物質の大部分を除去する事が出来る。粒子状物質が恒常的に人体の呼吸器に入ると、喘息や肺癌の原因になる事が知られているので、本装置の使用により、市民の健康被害を少なくする事ができる。
【００１６】  アルカリを主体とする浄化用薬品の作用により、窒素酸化物、亜硫酸ガス、炭化水素、アルデヒド等を削減する事が出来る。
【００１７】  水又は水溶液を使用するので冬季には周辺の大気の相対湿度を増加する事に役立ち、夏季には気化熱により気温を下げる事になり、大都会のヒ−トアイランド現象の緩和に役立つ。
【００１８】  浄化装置の構造は比較的に簡単なので、設備費は廉価である。
【００１９】  使用する薬品は普遍的なものなので、維持管理費は少なくて済む。
【００２０】  装置が比較的に簡単であるに拘らず、各種有害物質を一時に削減する事ができ
【００２１】  トンネル用に使用した場合は、トンネル出口周辺の動植物に与える被害を少なくし、かつまた交通機関運転者の健康を守る事になる。
【図面の簡単な説明】
【図１】 
【符号の説明】
１    浄化装置本体
２    送風機
３    ノズル
４    ポンプ
５    フィルタ−
６    デミスタ−
【図１】
2005334860.tif 000003
(57)【要約】【課題】  汚染土壌を改良する際、汚染土壌を今ある所から移すと、汚染の拡散につながり易いので、現位置にある状態で水洗浄を行い、分離した汚染物質と細粒分を除去することで溶出量を低減する。更に、残された粗粒分主体の半洗浄状態の汚染土壌に天然鉱物主体の重金属吸着改質材を混合し、将来にわたる再溶出量を溶出量基準以下に抑えるための土壌改良工法である。【解決手段】現位置の重金属汚染土壌内に、高圧ジェット水を噴射させて攪拌洗浄する。それに伴い排水管内を上昇排出される泥水の流速管理によって汚染土壌の分級を促進し、細粒分の分離排出をおこなう。後に残った粗粒分主体の半洗浄汚染土壌に、重金属吸着性能を有する改質材を混合攪拌し、汚染物質の不溶化を計る事を特徴とする。【選択図】図２
2005334855.tif 000002
【特許請求の範囲】
【請求項１】
現位置の重金属汚染土壌内に高圧ジェット水を噴射させる。
切削用高圧ジェットノズル（４）と分級洗浄用高圧ジェットノズル（５）の回転、上下動により汚染土壌を攪拌洗浄する。それに伴い排水用ケーシング（１）内を上昇排出される還流泥水の流速管理によって汚染土壌の分級洗浄を促進し、細粒分の分離排出をおこなう。後に残った粗粒子主体の半洗浄汚染土壌に、重金属吸着性能を有する改質材をスラリー状に噴射する。スラリー噴射ノズル（６）の回転、上下動により攪拌混合し、半洗浄汚染土壌内の汚染物質の不溶化を計る。
【発明の詳細な説明】
【発明の詳細な説明】
【技術分野】
【０００１】  この発明は、重金属に汚染された土壌を現位置で洗浄・不溶化する工法に関するものである。
【背景技術】
【０００２】  従来の洗浄工法は、現位置の汚染土壌を一旦掘削し、掘りあげた土壌を洗浄プラントに移し変えて洗浄・浄化して、再び現位置に埋め戻している。
【発明が解決しようとする課題】
【０００３】  これは次のような欠点があった。
（イ）掘りあげ、仮置き、移し変える汚染土壌から、汚染物質が風雨で飛散・流出・溶出する可能性があった。
（ロ）洗浄浄化土のみを元に戻していたので、土壌性能が劣化していた。
（ハ）掘削に伴い山留め等の仮設を要するため浄化費用が高価であった。
本発明は、これらの欠点を除くためになされたものである。
【課題を解決するための手段】
【０００４】  現位置の重金属汚染土壌の位置を変えずに、高圧ジェット水で攪拌流動化させ、ジェット水を還流させる。そして汚染土壌中の細粒分を還流水に呼び込み排出させる。この時、排水用ケーシング（１）内の排水流速をコントロールすることで細粒分と粗粒分の分級を促進させ、細粒分を上昇排出させる。
排出撤去される細粒分には汚染物質が多量に含まれるが、残された土壌にも汚染物質が残存しており、不溶化処理で対処する。
ジェット水による還流洗浄が終わった粗粒子主体の半洗浄汚染土壌に、地上で事前に混合された重金属吸着鉱物と自生の粘性質土との改質材を現位置で噴射混合させて不溶化させる。
本発明は、以上のような施工順序をとる浄化・不溶化工法である。
【発明を実施するための最良の形態】
【０００５】  以下、本発明の実施の形態について説明する。
重金属汚染土壌区域を３．３ｍ角に分割し、中央に浄化対象地盤の上端まで中掘り式で排水用ケーシング（１）を建て込む。その中にボーリングマシーンで外管が高圧ジェット送水管（２）、内管が不溶化スラリー輸送管（３）の２重管を浄化対象地盤の下端まで打ち込む。
外管下端に二段に分けて水平に設置した上段側の高圧ジェットノズル（４）より水平に切削用高圧ジェット水を回転しながら噴射し、上下動を繰り返しながら半径２．５ｍ程度までの汚染土壌地盤をほぐす。同時に同じく水平に設置した下段側の高圧ジェットノズル（５）より分級用高圧ジェット水を噴射し、ほぐされた汚染土壌を攪拌・分級する。この時余剰水とともに浮力の大きい物質が泥水となって排水用ケーシング（１）から上昇し排出される。
排水用ケーシング（１）内を上昇する泥水の流速をコントロールすることで、上昇する物質の比重を制御でき、土粒子の分級が進み細粒分を主体とした排水となる。
排出された細粒分が所定の量（事前の土質調査で細粒分を求めておく）に達したら、ジェット洗浄を中止する。一回の洗浄は５０ｃｍ以下とし、地盤の緩みを抑える。
排出される細粒分と同量の粘質土に、所定の重金属吸着材を混合しスラリー状にしておく（改質材）。
上記改質材を不溶化スラリー輸送管（３）よりスラリー噴射ノズル（６）に送り、ノズルを回転させながら噴射させる。均一に混合させるため回転させながら上下動も加え攪拌効果を高める。同様に繰り返して所定の量を混合攪拌する。
【発明の効果】
【０００６】  汚染土壌を地上に出さないので、気中に晒される事がなく、風雨による飛散や流出・溶出の恐れがなくなった。又、汚染土壌の移動に伴う汚染の拡散の機会もなくなり、これにより二次汚染を懸念する必要がなくなった。
洗浄によって排出除去した細粒分にみあう量の天然粘性土を、改質材の母材とするので、添加し混合攪拌された地山は粒径分布に片寄りがなく、天然自生の地山と同等に利用出来、浄化跡地の利用が制限されない。
改質材として天然鉱物資源を利用するため、新たな環境負荷が発生しない。
又、改質材の母材は最寄り地域に分布する天然粘性土でまかなえるので、経済性に優れる。
汚染土壌を掘削しないので、余計な仮設費用等がかからず最小限のコストで浄化できる。
【図面の簡単な説明】
【図１】洗浄不溶化割付図
【図２】洗浄不溶化施工概略図
【図３】高圧洗浄装置並びに不溶化スラリー噴射装置
【符号の説明】
１  排水用ケーシング
２  高圧ジェット送水管
３  不溶化スラリー輸送管
４  高圧ジェットノズル（切削用）
５  高圧ジェットノズル（分級洗浄用）
６  スラリー噴射ノズル
【図１】
2005334855.tif 000003
【図２】
2005334855.tif 000004
【図３】
2005334855.tif 000005
(57)【要約】【課題】吊下紐に対する吊掛具の上下位置を調整すること。【解決手段】  本発明の吊掛装置は、天井に取り付ける支持具１から吊下紐４を垂下し、この吊下紐４の中間に吊掛具２を取り付けて成る。支持具１は、吊下紐４を巻き取るぜんまいぱねを内蔵しており、吊下紐４は、このぜんまいばねで引き上げ方向に付勢されている。吊掛具２は、２つの半体５・６から成り、一方の半体５には、吊掛具２を適当な位置に固定する止具３が回動可能に取り付けられ、他方の半体６には吊下紐４を案内する円形に突出する案内部６ａを設けてある。吊掛具２には、吊下紐４を上方から導入されて案内部６ａに半円弧状に案内されて下方から導出されるよう設けられている。止具３を上方に回動すると吊掛具２が固定を解除されて上下に移動可能になり、下方に回動すると吊下紐４を圧迫して吊掛具２を固定することができるようになっている。【選択図】図２
2005334155.tif 000002
【特許請求の範囲】
【請求項１】
支持具に垂下されると共に上方に付勢されている吊下紐に吊掛具を設けて成る吊掛装置において、吊掛具は、吊下紐に対して上下摺動可能に設けられ、任意の位置で固定することができる止具を有して成り、吊下紐に対する吊掛具の上下位置を調整することができるように構成したことを特徴とする吊掛装置。
【発明の詳細な説明】
【技術分野】
【０００１】
本発明は、天井等に取り付けて使用するもので、不使用状態では吊掛具が上方にあり、使用する時に吊下紐を引き下げ、吊掛具に物干具や洋服ハンガーや観葉植物等を引っ掛けると、その重さによって吊下紐が引き出された状態となり、使用状態となる吊掛装置に関するものである。
【背景技術】
【０００２】
従来より、実開平５−７６３７９号考案のように、支持具に垂下されると共に上方に付勢されている吊下紐に吊掛具を設けて成る吊掛装置は提案されている。
【特許文献１】実開平５−７６３７９号公報
【発明の開示】
【発明が解決しようとする課題】
【０００３】
上記従来例においては、吊掛具（フック手段）から引き下ろすための紐は垂下されておらず、邪魔にならない反面、引掛棒等で引き下ろす必要があり、面倒であるという問題がある。また、吊掛具（フック手段）を引き下ろす距離は自由に調節することができると記載されているが、どのように調節するかは記載されていない。しかしその構造から、引き下ろされた吊掛具（フック手段）の近傍で調節できるものではなく、天井裏で調節するものと推定され、調節するのが不便であるという問題もある。本発明は、これらの問題を解決することを課題としている。
【課題を解決するための手段】
【０００４】
本発明は、上記の課題を解決するために、支持具に垂下されると共に上方に付勢されている吊下紐に吊掛具を設けて成る吊掛装置において、吊掛具は、吊下紐に対して上下摺動可能に設けられ、任意の位置で固定することができる止具を有して成り、吊下紐に対する吊掛具の上下位置を調整することができるように構成したものである。
【発明の効果】
【０００５】
以上のように本発明によれば、吊掛具より下の吊下紐の長さを、適当な長さつまり収納時引き下ろすことが可能でかつそれほど邪魔にならない長さに調整しておき、吊掛具を引き下ろして使用する時、吊掛具に引っ掛ける洗濯物等が邪魔にならないように、止具によって吊掛具の上下位置を調整し、さらに使用し終わったら再び吊掛具の上下位置を上述の収納時の適当な長さに調整することができるという効果がある。
【実施例】
【０００６】
本発明の実施例を図面を参照して説明する。
本発明の吊掛装置は、天井に取り付ける支持具１から吊下紐４を垂下し、この吊下紐４の中間に吊掛具２を取り付けて成る。
【０００７】
支持具１には、吊下紐４を巻き取るぜんまいばね（図示せず）を内蔵しており、吊下紐４は、このぜんまいばね（図示せず）で引き上げられる方向に付勢されている。なお、支持具１のこの内部の構造は、巻尺等で使用されている公知のものと同様であり詳細は省略する。
【０００８】
吊下紐４に取り付けられる吊掛具２は、２つの半体５・６を合わせてねじ止めして構成され、一方の半体５には、上部に吊掛具２を適当な位置に固定できる止具３が回動可能に取り付けられ、他方の半体６には吊下紐４を案内する円形に突出する案内部６ａを設けてある。
吊掛具２には、吊下紐４を上方から導入されて案内部６ａに半円弧状に案内されて下方から導出されるよう設けてある。そして、吊掛具２の上部に回動可能に設けられた止具３を、下方に回動すると吊下紐４を圧迫して吊掛具２を固定することができ（図４参照）、上方に回動すると吊掛具２が固定を解除されて上下に移動可能になる（図５参照）ように構成されており、吊掛具２の吊下紐４に対する上下位置の調整をすることができるようになっている。
【０００９】
使用していない状態では、図１に示すように、ぜんまいばね（図示せず）の力で吊掛具２は支持具１に当接して静止しており、吊掛具２より下の吊下紐４が垂下している。使用するには、吊下紐４を引き下げ、吊掛具２に物干し具等を引っ掛けると、その重さによって吊下紐４が引き出され吊掛具２が引き下ろされた使用状態となる。また、その時、吊掛具２の上下位置を高い位置に調整すれば吊下げられた洗濯物等がそれほど邪魔にならない位置に保持することができる。
【００１０】
そして、収納する時は、物干し具等を吊掛具２から外せば、ぜんまいばね（図示せず）の力で吊掛具２は支持具１に当接するまで引き上げられる。また、この時、吊掛具２の上下位置を高い位置に調整してあると、吊下紐４の収納時の垂下している長さが長くなっているので、吊掛具２の上下位置を低い位置に調整すれば吊下紐４は、引き下げる時に手が届いて、なおかつそれほど邪魔にならないちょうどいい位置に設定することができる。
【図面の簡単な説明】
【００１１】
【図１】吊掛具が支持具に当接している状態（不使用状態）を示す正面図である。
【図２】吊掛具が引き下ろされた状態（使用状態）を示す正面図である。
【図３】要部の分解斜視図である。
【図４】吊掛具が固定された状態を示す要部の縦断面図である。
【図５】吊掛具が移動可能な状態を示す要部の縦断面図である。
【符号の説明】
【００１２】
１    支持具
２    吊掛具
３    止具
４    吊下紐
【図１】
2005334155.tif 000003
【図２】
2005334155.tif 000004
【図３】
2005334155.tif 000005
【図４】
2005334155.tif 000006
【図５】
2005334155.tif 000007
(57)【要約】【課題】  学童期の通学時の事故防止及び成長期における骨や筋肉の正常な成長を妨げないようにする為、ランドセルと一体となって使用する両肩で背負う形のサブバックを提供する。【解決手段】サブバックの裏５とランドセルの７にバックルを取り付けて、取り付け又は取り外しを可能にし、さらに補強としてサブバックの裏２に厚手のマジックテープ付バンドを取り付け、ランドセルの蓋に固定し、ランドセルとサブバックが一体となるようにする。【選択図】  図３
2005334605.tif 000002
【特許請求の範囲】
【請求項１】
サブバックの裏面とランドセル上部についているひっかけ部分にバックルを取り付け、ランドセルに取り付け又は取り外し可能にしたサブバック。
【請求項２】
サブバックの裏面に厚手のマジックテープ付バンドを取り付け、サブバックをランドセルの蓋に一体固定できるようにしたサブバック。
【請求項３】
厚みのある教材でも入るように、底は厚みをつけたサブバック。
【請求項４】
サブバックの入口は、中の物が簡単に外に出ないようにするため、入口に別布を取り付けて巾着袋の口のようにしたサブバック。
【請求項５】
サブバックの入口の前後にひもを通すための輪型の金具を取り付ける。そして、サブバックの入口に取り付けた別布の口を縛るための紐をその輪に通して、入口が開かないようにしたサブバック。
【発明の詳細な説明】
【発明の詳細な説明】
【技術分野】
【０００１】  本発明は、学童の通学時の事故を防止するため及び成長期における骨や筋肉の正常な成長を妨げないようにするために、ランドセルと一体となって使用する、両肩で背負う形のサブバック。
【背景技術】
【０００２】  従来は、小学生の通学用のサブバックとしては、横断バックと呼ばれる手提げ型のバックであった。
【発明が解決しようとする課題】
【０００３】  学童期は、骨と筋肉の発育が同時に起こらないので、アンバランスな状態にある。通学時に、手に荷物をもっていると転んで骨折などの重大な事故につながる可能性がある。また、学童期はもっとも成長する時期でもある。通常通学用のサブバックとしては、横断バックと呼ばれる手提げ型のバックを使用しているケースが多いが、片手で持つため左右どちらかに負担がかかり、子供の骨や筋肉の正常な成長の妨げになることが指摘されてきた。つまり、両手が空いた状態でかつ負荷を左右等しくして歩行することが、学童の正常な成長には必要不可欠であるが、実際の生活では教材が多く、両手の空いた状態が確保されていないことが本質的な問題である。本発明は、これらの問題点を解決するためになされたものである。
【課題を解決するための手段】
【０００４】  サブバックをランドセルに一体固定し、両手の空いた歩行状態を確保する。具体的な手段としては、サブバックの裏５とランドセル７にバックルを取り付けて、サブバックをランドセルに取り付け又は取り外し可能にする。さらに補強のために、サブバックの裏面にマジックテープ付の厚手のバンド２を取り付け、ランドセルの蓋に固定することでサブバックがランドセルと一体となるようにする。サブバックの底は厚みをもたせ、厚みのある教材などでも入るようにする。そしてサブバックの口には、中のものが外に出ないように薄手の別布を縫い付けて、巾着袋の口になるようにする。サブバックの入口の前後同じ位置に、紐を通す輪型の金具を取り付けてサブバックの入口を閉じることができるようにする。サブバックを取り付ける通学用の主バックは、ランドセルに限らずリュックサックのようなものでもよい。
【発明を実施するための最良の形態】
【０００５】  以下、本発明の実施の形態について説明する。
（イ）サブバック本体１は、外側にポケットが付いた袋状にし、底は厚みをもたせたものにする。袋の口には別布を取り付けて、巾着袋の口のように紐で縛るようにする。袋の入口前後同じ位置に輪型の金具を取り付け、輪に紐を通して袋を閉じることができるようにする。
（ロ）サブバックをランドセルに取り付ける方法は、サブバック裏面５とランドセルの上部に付いているランドセルを引っ掛けるための輪７にバックルを取り付ける。
（ハ）さらに、ランドセルと一体固定を確保する為に、サブバック本体１の裏に厚手のバンドを２本取り付け、バンドの端にマジックテープを取り付けてランドセルの蓋に固定する。サブバックの下部には幅が広めのバンドを取り付け、上部には下部に取り付けたバンドより幅が狭いものを取り付ける。
【発明の効果】
【０００６】  学童の通学用のサブバックをランドセルに取り付けてランドセルと一体としたことで、サブバックを手に持つ必要がなくなり、両手の空く状態が確保され、通学時の事故防止となる。また、子供の正常な成長の妨げにならないように肩への負担を左右等しくすることができる。
【図面の簡単な説明】
【図１】  本発明の正面図である。
2005334605.tif 000003
【符号の説明】
１サブバック本体
２ランドセルの蓋に固定するためのバンド
３サブバックの口
４ポケット
５バックル（サブバック側）
６バックル（ランドセル側）
７ランドセルを引っ掛けるための輪
８輪型の金具
９ランドセル本体
１０ランドセルの蓋
【図１】
2005334605.tif 000004
【図３】
2005334605.tif 000005
【手続補正書】
【提出日】平成16年8月16日(2004.8.16)
【手続補正１】
【補正対象書類名】図面
【補正対象項目名】全図
【補正方法】変更
【補正の内容】
【図１】
2005334605.tif 000006
【図２】
2005334605.tif 000007
【図３】
2005334605.tif 000008
(57)【要約】【課題】  この発明は，古今集，新古今集の中から代表的な短歌の日本語版およびそれに対応する英語版のカードを使ったゲームを提案する。【解決手段】  本発明は上の課題を解決するためになされたものであり，古今集，新古今集の中から代表的な短歌を選び，その日本語版およびそれに対応する英語版のカードを作成し，それらを使ったゲームを提案する。【選択図】      図２
2005334610.tif 000002
【特許請求の範囲】
【請求項１】
古今集，新古今集の中から代表的な短歌の日本語版およびそれに対応する英語版のカードを提供する。
【請求項２】
古今集，新古今集の中から代表的な短歌の日本語版およびそれに対応する英語版のカードを使った各種のゲームを提供する。
【発明の詳細な説明】
【技術分野】
【０００１】  この発明は，古今集，新古今集の中から代表的な短歌の日本語版およびそれに対応する英語版のカードを使ったゲームを提案することに関する。
【背景技術】
【０００２】  古来から日本のカードゲームには，百人一首や花札が行われているが，古今集，新古今集を使ったカードゲームはない。【０００３】  世界的に共通に普及しているカードゲームとしてはトランプがあり，各種の遊び方が普及している。
【発明の開示】
【発明が解決しようとする課題】
【０００４】  古今集，新古今集の中から代表的な短歌を選び，その日本語版およびそれに対応する英語版のカードを作成し，それらを使ったゲームを提案する。
【課題を解決するための手段】
【０００５】  本発明は上の課題を解決するためになされたものであり，図１のような古今集，新古今集の中から代表的な短歌の日本語版カードを作成する。【０００６】  また本発明は古今集，新古今集の中から図１のような代表的な短歌の日本語版カードに対応する，図２のような英語版のカードを作成する。
【発明の効果】
【０００７】  このカードゲームを行うことにより，日本人の心に触れる短歌を覚えることのほか，それに対応する英文を理解し，日本人の英語力および外国人の日本語力の向上に役立つ。【０００８】  遊び方を工夫することにより，健全な大人のゲームを提供することになる。【０００９】  さらにこのゲームをインターネットを介して，国内や海外との間で行うことにより，異文化交流のコミュニケーション開発に役立つ。
【発明を実施するための最良の形態】
【００１０】  本発明は図１および図２に示すような多くのカードを用いる。
【実施例】
【００１１】  数人がとりまく机上に，英語版（又は日本語版）カードをたくさん並べ，読み手が日本語版（又は英語版）を読み上げて，それに対応する英語版をすばやく見つける。勝負は見つけた枚数で決定する。ただし，間違えたカードを取った者は１回休みとする。【００１２】  たとえば，日本語版（又は英語版）のカード３９枚，それに対応した英語版（又は日本語版）のカード３９枚と対応しないカード１枚（合計４０枚）をシャッフルした後で数人に配る。配られたカードから日本語版と英語版が一致するものがあれば手放す。トランプのばば抜きの要領で，カードを隣の人から引いて，日本語版と英語版が一致するものがあれば手放していく。勝負は早く手持ちのカードがなくなった順で決定する。
【産業上の利用可能性】
【図面の簡単な説明】
【図１】  古今集，新古今集の中から代表的な短歌の日本語版のカードである。
【図２】  古今集，新古今集の中から代表的な短歌の英語版のカードである。
【符号の説明】
１  日本語版のカード
２  英語版のカード
【図１】
2005334610.tif 000003
【図２】
2005334610.tif 000004
(57)【要約】【課題】高齢者やリハビリ訓練者などが、家庭や施設で日常的に無理なく簡単に上肢や下肢・体幹の筋力トレーニングを行うことで筋力低下の予防や筋力増強を行い歩行動作やトイレや入浴動作など日常の動作レベルを向上させるとともに日常生活の中で転倒事故やケガを防ぐことが目的である。また高齢化に伴う莫大な医療費や介護保険費用の抑制につながることが目的である。【解決手段】高齢者やリハビリ訓練者が家庭や施設で筋力トレーニングに使用できる椅子にするためには使い勝手の良い物であること、無理なく購入できる価格にすることが必要と考え一般的な椅子の形状・材質としトレーニングの負荷にコストの安価なゴムチューブやゴムバンドを利用し椅子を製作、この筋力トレーニング椅子を日常的に使用することで筋力低下の予防や筋力増強を行い日常の動作レベルを向上させるとともに転倒事故やケガを防ぎ莫大な医療費や介護保険費用の抑制につながるようにした。【選択図】  図１
2005334602.tif 000002
【特許請求の範囲】
【請求項１】
日常、食事や休憩に使えることのできる椅子でありその椅子にゴムチューブ（１）（９）（１０）やゴムバンド（３）を取付けられるようにしてゴムの力を利用して上肢や下肢・体幹の筋力トレーニングを行うことができる椅子。
【発明の詳細な説明】
【技術分野】
【０００１】本発明は高齢者やリハビリ訓練者などの筋力の弱った人が家庭や施設などで日常的に上肢や下肢・体幹の筋力トレーニングを行うための筋力トレーニング椅子に関するものである。
【背景技術】
【０００２】従来の上肢や下肢・体幹の筋力トレーニングの器械は一般的にトレーニングマシンと言われる物があり筋力トレーニングの負荷方式が重錘式や油圧式が主流で主にトレーニングセンターなどに設置され負荷も数十ｋｇから数百ｋｇと重く健常者やスポーツ選手などを対象にした物で高齢者やリハビリ訓練者などの筋力の弱った人が使うには使用し難い物で高齢者やリハビリ訓練者などの人が日常的に家庭や施設など身近で使用することができない物である。
【発明の開示】
【発明が解決しようとする課題】
【０００３】本発明は高齢者やリハビリ訓練者などの筋力の弱った人が家庭や高齢者施設やリハビリ訓練施設など日常的に簡単に無理なく上肢や下肢・体幹の筋力トレーニングを行うことができることを課題として研究をすすめた。
【課題を解決するための手段】
【０００４】高齢者やリハビリ訓練者が日常的に無理なく筋力トレーニングを行うには家庭や施設内で食事や休憩など日常的に使用できる椅子でありその椅子にゴムチューブ（１）（９）（１０）やゴムバンド（３）を取付けられるようにしてゴムの力を利用して上肢や下肢・体幹の筋力トレーニングを行うことができる椅子とした。
【発明の効果】
【０００５】本発明は以上のような機能から高齢者やリハビリ訓練者が日常的に使える椅子で無理なく簡単に筋力トレーニングを行うことができる。現在、日本は高齢化社会を向かえ高齢者の足腰の筋力低下による転倒事故が増え大腿部骨折や上肢骨折などで数ヶ月から半年以上入院する人が増えており医療費も莫大なものとなっております。このような事故を防ぐため厚生労働省や各自治体も高齢者に筋力トレーニングを勧めており高齢者対象の色々な医療施設や高齢者施設で筋力低下の予防や筋力増強トレーニングを行っており非常に良い成果をもたらせています。しかし現在の筋力トレーニングの機器は非常に高価で数十万円から数百万円と高くまたサイズも大きく重量も重く簡単にどこでも導入することはできません。また筋力の弱った人がわざわざこのような筋力トレーニングのできる施設に行かないと行うことができません。しかし今回、発明の筋力トレーニング椅子は高齢者やリハビリ訓練者が家庭や施設で日常的にテレビを見ながら、またグループで楽しく体操のように椅子に座った状態で筋力トレーニングが行えます。またコスト面でも通常の椅子の形状や材質であり筋力トレーニングの負荷にゴムを使うことにより非常にコストを安く抑え一般の個人でも購入できる価格とし多くの高齢者やリハビリ訓練者が無理なく簡単に筋力トレーニングを行うことができ筋力低下の予防や筋力増強を行い転倒事故防止することにつながり医療費を抑えることとなります。また介護保険対象の高齢者の方々も家庭やデイケア施設など、この椅子を使用し筋力トレーニングを行うことで足腰や体幹がしっかりすることで、歩行動作やトイレや入浴動作など日常生活の動作レベルが向上し介護者の介護負担も軽減します。また動作レベルが向上することで要支援・要介護の認定の度合いを抑制することができ国や自治体も介護保険費用を抑えることとなり先ほどの医療費と合わせ莫大な医療費・介護保険費用の抑制につながる効果があります。
【発明実施するための最良の形態】
【０００６】本発明を実施するために、高齢者やリハビリ訓練者が家庭や施設でふだんの食事や休憩に使用する椅子を筋力トレーニングに使用できる椅子にするためにはまず形状・デザイン・使い勝手の良い軽い物であることが必要と考え設計しました。また筋力の弱った人が無理なく簡単に筋力トレーニングを行うには、上肢や下肢・体幹の筋力トレーニングの負荷となるゴムチューブ（１）（９）（１０）やゴムバンド（３）の力の弱い物から強い物を数種類用意しトレーニングを行う人にあったゴムチューブやゴムバンドを選択し取付けが行えるようにした。
また、この筋力トレーニング椅子の上肢トレーニングはゴムチューブ（１）に上肢トレーニンググリップ（２）を取付けゴムチューブ（１）の負荷による上肢の筋力トレーニングを行う。体幹トレーニングはゴムバンド（３）を胸に当て体を前後に動かしゴムバンド（３）の負荷による体幹トレーニングを行う。下肢トレーニングは下肢トレーニングフレーム（４）のフレームレール（６）に沿ってフットベース（５）が動き下肢伸展運動ゴムチューブ（９）の負荷による下肢の伸展屈曲運動が行えフットベース（５）は折りたたむことができる。また角度可変差込ピン（８）を抜き角度可変板（７）の差込穴の位置を変えることで下肢トレーニングフレーム（４）の角度を変えることができる。
また角度可変差込ピン（８）を抜いてしまうことで下肢トレーニングフレーム（４）は０度から９０度の範囲を動くことができ大腿四頭筋運動ゴムチューブ（１０）の負荷による下肢の大腿四頭筋運動を行うことができる。
本発明は以上のような構成であるから高齢者やリハビリ訓練者が家庭や施設で無理なく簡単に自分にあった筋力トレーニングを行うことができる。
【産業上の利用可能性】
【０００７】
【図面の簡単な説明】
【０００８】
【図１】    本発明を示した斜視図で下肢トレーニングフレームを上げた状態である。
【図２】    本発明を示した正面図で下肢トレーニングフレームを下ろした状態である。
【図３】    本発明を示した左側面図で下肢トレーニングフレームを下ろした状態である。
【符号の説明】
【０００９】      （１）上肢トレーニング用ゴムチューブ
（２）上肢トレーニング用グリップ
（３）体幹トレーニング用ゴムバンド
（４）下肢トレーニングフレーム
（５）フットベース
（６）フレームレール
（７）角度可変板
（８）角度可変差込ピン
（９）下肢伸展運動ゴムチューブ
（１０）大腿四頭筋運動ゴムチューブ
【図１】
2005334602.tif 000003
【図２】
2005334602.tif 000004
【図３】
2005334602.tif 000005